(57)【要約】【課題】バルブ表面の温度が上昇することによって生じた上記の問題点に着目し、寿命末期であってもバルブに歪や微小クラックが生じたり破裂してガラスが飛散していたりしまうなどの虞を抑制する。【解決手段】バルブ１の内外表面には、化学強化法によって得られる強化層１ａが形成される。この強化層１ａは、例えば、フレアステム２が封止される前のガラスバルブを、ＳＯ２雰囲気で満たした炉内にガラスバルブ１を配置させ、炉内の温度がガラスバルブを形成しているガラス材の徐冷点温度以上、転移点以下の温度となるように設定し過熱することによって、バルブ表面のナトリウムイオンを除去して表面に圧縮歪を加えた。【選択図】図２
2006012435.tif 000002
【特許請求の範囲】
【請求項１】
少なくとも外表面に強化層が形成されている軟質ガラスからなるガラスバルブと；
このバルブ内に配設されたコイル状のフィラメントと；
上記フィラメントを支持するフィラメント支持部材と；
を具備していることを特徴とする白熱電球。
【請求項２】
基体に上記請求項１記載の白熱電球を光源として装着したことを特徴とする照明装置。
【発明の詳細な説明】
【技術分野】
【０００１】
本発明は白熱電球および照明装置に関する。
【背景技術】
【０００２】
従来から、一般照明用などに多用されている白熱電球は、軟質ガラスからなるバルブの端部に一対のリード線を備えたステムを封着し、上記のリード線間にタングステン製のコイル状のフィラメントを継線する構造が採用されている。このような白熱電球は、例えば特許文献１のように、フィラメントの支持部間の間隔とバルブの内面に形成される微粒子金属酸化物の頂部における膜厚を規定する事によって、フィラメント断線時にアークが発生して高温度のフィラメント片がバルブ面に落下してもガラスに与える熱的衝撃を和らげ、バルブにクラックを発生することがなくガラス飛散による人体への危険などを防止する白熱電球が開示されている。
【特許文献１】特開平９−１７３９６号公報
【発明の開示】
【発明が解決しようとする課題】
【０００３】
しかしながら、白熱電球では、たとえフィラメントが断線しなくとも、点灯中の特に寿命末期に、バルブの表面に歪やクラックが生じ、バルブが破損するなどしてガラスが飛散してしまうなどの危険が生じる虞があった。そうして、万が一ランプが点灯中に破損するなどした場合、点灯中に高温となっているバルブのガラス破片が散乱し、使用者にやけどを与えてしまうことや使用場所によっては床面を焦がしてしまうなどの二次災害が起こる危険性があり、バルブの破損を抑制することが求められていた。
【０００４】
寿命末期にバルブの表面に歪や微小クラックが生じることについて検討してみると、発明者らの試験によるとソーダライムガラスにあっては、２００℃以上の雰囲気温度に数１００時間曝すことによって、ガラス表面に歪や微小クラックが生じていることを確認した。そして、このガラスの表面を観察および分析を行うと、ガラスの表面にＮａ２ＣＯ３などの炭酸塩が析出された。これは、ガラス表面を構成しているＮａＯ２と大気中のＯ２、ＣＯ２、Ｈ２Ｏなどと反応され生成され、ガラス表面層に生成されたためと考えられる。そうして、このようなＮａ２ＣＯ３などの炭酸塩が生成された事によって、ガラス表面に歪が生じこの歪によって微小なクラックが伸長してしまうと考察した。
【０００５】
そこで、本発明では点灯中にフィラメントが高温となるとともにバルブ表面の温度が上昇することによって生じた上記の問題点に着目し、寿命末期であってもバルブに歪や微小クラックが生じたり破裂してガラスが飛散していたりしまうなどの虞を抑制する白熱電球およびこの白熱電球を使用した照明装置を提供することを目的とする。
【課題を解決するための手段】
【０００６】
請求項１の発明の白熱電球は、少なくとも外表面に強化層が形成されている軟質ガラスからなるガラスバルブと；このバルブ内に配設されたコイル状のフィラメントと；上記フィラメントを支持するフィラメント支持部材と；を具備している。
【０００７】
ガラスバルブは、軟質ガラスの少なくとも内面に強化層として圧縮歪を形成したものである。軟質ガラスの表面に圧縮歪を形成する方法としては、風冷強化法と化学強化法の方法が挙げられるが、白熱電球のバルブに用いるような形状にあっては、化学強化法が適している。化学強化法は、例えばイオン交換法と呼ばれる方法であって、溶融カリウム塩にバルブを浸しナトリウムイオンとカリウムイオンを交換させて、硬質ガラス内の表面層のイオン半径の小さいNa+をよりイオン半径の大きいK+と置換してガラス表面に圧縮応力を発生させる方法である。他に、脱アルカリ処理と呼ばれるものでＳＯ２，ＳＯ３、Ｈ２Ｓ０４を高温化でガラスの表面に反応させ脱アルカリ処理することで、ガラスの表面層をＳｉＯ２成分リッチとさせるとガラス表面に圧縮歪が形成され、ガラス強度を増大させる方法などが選択できる。
【０００８】
また、強化層をバルブの表面に圧縮歪を形成して作成する場合であれば、強化層は少なくとも外表面に形成すればよく、内外面両面に形成することも許容する。外面のみに形成する方法としては、例えば脱アルカリ処理法を用いるとすれば、表面処理を行うときに反応させるガスをバルブの外側の雰囲気にのみ充填させて加熱することによって形成できる。
【０００９】
請求項２の発明の照明装置は、基体に上記請求項１記載の白熱電球を光源として装着したことを特徴とする。
【００１０】
照明装置は、一般に使用される屋内・屋外照明装置の他、車両用前照灯などのような投光形照明装置を含む。照明装置には基体のほかに反射鏡、光拡散レンズ、光拡散カバー等を含む。
【発明の効果】
【００１１】
請求項１の発明によれば、バルブ表面の温度が上昇することによって生じた上記の問題点に着目し、寿命末期であってもバルブに歪や微小クラックが生じたり破裂してガラスが飛散していたりしまうなどの虞を抑制する。
【００１２】
また、請求項２の発明によれば。請求項１の白熱電球を使用しているので、請求項１の発明の効果を奏した照明装置を提供することができる。
【発明を実施するための最良の形態】
【００１３】
以下、本発明の実施例を図面を参照して説明する。図１はたとえば一般照明用などに用いられる散光形の白熱電球を示す一部切欠正面図、図２は、バルブの拡大断面図である。
【００１４】
この白熱電球Ｌは、たとえば一般照明用などに用いられ、ミニクリプトンランプと呼ばれるのもので、ソーダライムガラスからなる最大径部３５ｍｍ、全長６７ｍｍのＰＳ形（洋梨形）のバルブ１の端部にフレアステム２が封止されている。また、このステム２には一対のリード線３、３が気密に封着されていて、両リード線３、３の先端部には二重コイル状のフィラメント４が継線されている。フィラメント４のほぼ中央部にはアンカー３１と呼ばれる金属線によって指示されており、フィラメント４は略Ｖ字形状に支持されている。
【００１５】
また、６はバルブ１端部の封止部を覆うようにして取付けられた口金で、上記のリード線３、３とそれぞれ電気的に接続している。また、バルブ１内にはクリプトン、アルゴンと窒素とからなる不活性ガス選択して充填されるものであって、本実施形態の場合、クリプトンが９０％、窒素が１０％の割合の混合ガスを常温で約７０ｋＰａとなるように封入している。
【００１６】
バルブ１の内外表面には、化学強化法によって得られる強化層１ａが形成される。この強化層１ａは、例えば、フレアステム２が封止される前のガラスバルブを、ＳＯ２雰囲気で満たした炉内にガラスバルブ１を配置させ、炉内の温度がガラスバルブ１を形成しているガラス材の徐冷点温度以上、転移点以下の温度となるように設定し過熱することによって、バルブ１表面のナトリウムイオンを除去して表面に圧縮歪を加える方法がある。
【００１７】
本実施形態の場合、バルブ１はＮａ２Ｏ−ＡｌＯ３−ＳｉＯ２系の軟質ガラスから構成されＰＳ型に形成されたものをＳＯ２雰囲気で満たした炉に入れ、炉内温度を５２０℃から５４０℃にし数分から数十分程度加熱することで、厚さ０．４５ｍｍ〜０．７５ｍｍのバルブ１の表面から１０μｍ程度の深さまでに圧縮歪を形成する事ができる。本実施形態のような軟質ガラスの場合、５４０℃よりも高温で加熱を行うと、バルブ１表面にイオン交換によって圧縮歪を発生させてもガラスの転移点以上の温度で過熱された際にバルブ１全体の歪が除去されてしまい、外表面に圧縮歪を形成し表面を強化層１ａとすることができなくなってしまうので、温度管理は重要となる。
【００１８】
このように表面に圧縮歪を形成したバルブ１を用いて、点灯中のバルブ１温度が２００℃〜２２０℃となる比較的バルブ温度が高温となりやすい電球を白熱電球Lとして製作し、使用したところ、表面に圧縮歪を形成しないバルブ１を用いて作成した白熱電球Lと比較して、寿命（約２０００時間）までに白熱電球Lのバルブ１表面に生じたクラックの発生率が１／５まで減少させることができたものである。
【００１９】
なお、本発明は上記実施例に限定されない。たとえば、白熱電球Lとしては一般照明用に限らず、二重コイルフィラメントを用いた反射形の投光用電球などであってもよい。
また、ガラスバルブの形状はＰＳ形に限らず、Ａ形、Ｇ形やＲ形などであってもよく、その材質については、軟質ガラスはもちろん硬質ガラスであっても差支えない。
【００２０】
さらに、バルブ１表面の温度が２００℃を越えないように、フィラメント４の配置を変更することも寿命末期のバルブ１の破損を抑制するのに効果がある。例えば、上記実施形態では、フィラメント４はＶ字配置であるがこのＶ字の頂点がバルブ１に近づかないように、フィラメント４を支持しているリード線３の先端の幅を広くして、フィラメント４の頂点がバルブ１に近づかないように配置することもできる
【００２１】
図３はこの電球Ｌを装着して点灯される照明器具などの照明装置である。白熱電球Ｌは第１の実施形態のランプであり、この白熱電球Ｌは、たとえば図３に示す照明器具ＤのソケットＤ１に口金６を上方にして装着され点灯する。なお、図３中Ｄ２は基体で、ソケットＤ１およびセードＤ３が設けられている。
【図面の簡単な説明】
【００２２】
【図１】本発明の白熱電球の実施例を示す一部切欠正面図である。
【図２】同じくバルブの拡大断面図である。
【図３】図１の白熱電球を装着した本発明の照明装置の実施例を示す一部切欠正面図である。
【符号の説明】
【００２３】
Ｌ・・・白熱電球  １・・・バルブ    １ａ・・・強化層（圧縮歪層）２・・・ステム  ３・・・リード線  ４・・・フィラメント
【図１】
2006012435.tif 000003
【図２】
2006012435.tif 000004
【図３】
2006012435.tif 000005